(57)【要約】  本技術は、バッテリ残量を有効に利用することができるようにする電子機器、電力管理方法、および電力管理システムに関する。テーブル管理部は、機能毎の消費電力に関する消費電力値を保持するテーブルを管理し、判定部は、バッテリ残量とテーブルとに基づいて、ユーザにより指定された機能が実行可能か否かを判定し、指示部は、機能が実行可能であると判定された場合、機能の実行を指示する。テーブル管理部は、機能が実行された後のバッテリ残量に基づいて、テーブルにおける、実行された機能の消費電力値を更新する。本技術は、バッテリ駆動のモバイル機器に適用することができる。
2018216478.tif 000002
【特許請求の範囲】
【請求項１】
機能毎の消費電力に関する消費電力値を保持するテーブルを管理するテーブル管理部と、
バッテリ残量と前記テーブルとに基づいて、ユーザにより指定された機能が実行可能か否かを判定する判定部と、
前記機能が実行可能であると判定された場合、前記機能の実行を指示する指示部と
を備え、
前記テーブル管理部は、前記機能が実行された後の前記バッテリ残量に基づいて、前記テーブルにおける、実行された前記機能の前記消費電力値を更新する
電子機器。
【請求項２】
前記判定部は、前記ユーザにより指定された第１の機能が実行可能でないと判定された場合、前記第１の機能と同等または類似の機能であって、前記第１の機能より消費電力値の小さい第２の機能が実行可能か否かを判定し、
前記指示部は、前記第２の機能が実行可能であると判定された場合、前記第２の機能の実行を指示する
請求項１に記載の電子機器。
【請求項３】
前記第２の機能が実行可能でないと判定された場合、または、いずれの前記機能も実行可能でないと判定された場合、その旨の通知の出力を制御する出力制御部をさらに備える
請求項２に記載の電子機器。
【請求項４】
いずれの前記機能も実行可能でないと判定された場合、少なくともいずれか１つの前記機能が実行可能となるまでバッテリへの充電を制御する充電制御部をさらに備える
請求項３に記載の電子機器。
【請求項５】
前記テーブル管理部は、時間帯毎の前記消費電力値を保持する前記テーブルを管理し、
前記判定部は、前記バッテリ残量と、現在時刻が含まれる時間帯の前記テーブルとに基づいて、前記機能が実行可能か否かを判定する
請求項１に記載の電子機器。
【請求項６】
前記テーブル管理部は、季節毎の前記消費電力値を保持する前記テーブルを管理し、
前記判定部は、前記バッテリ残量と、現在の季節の前記テーブルとに基づいて、前記機能が実行可能か否かを判定する
請求項１に記載の電子機器。
【請求項７】
前記テーブル管理部は、気候毎の前記消費電力値を保持する前記テーブルを管理し、
前記判定部は、前記バッテリ残量と、現在の気候の前記テーブルとに基づいて、前記機能が実行可能か否かを判定する
請求項１に記載の電子機器。
【請求項８】
前記テーブル管理部は、前記機能が実行される前の前記バッテリ残量と、前記機能が実行された後の前記バッテリ残量との差分を用いて、実行された前記機能の前記消費電力値を更新する
請求項１に記載の電子機器。
【請求項９】
機能毎の消費電力に関する消費電力値を保持するテーブルを管理する電子機器が、
バッテリ残量と前記テーブルとに基づいて、ユーザにより指定された機能が実行可能か否かを判定し、
前記機能が実行可能であると判定された場合、前記機能の実行を指示し、
前記機能が実行された後の前記バッテリ残量に基づいて、前記テーブルにおける、実行された前記機能の前記消費電力値を更新する
ステップを含む電力管理方法。
【請求項１０】
電子機器と、
前記電子機器の機能毎の消費電力に関する消費電力値を保持するテーブルを管理する電力管理装置と
を備え、
前記電力管理装置は、
前記電子機器のバッテリ残量と、前記テーブルとに基づいて、ユーザにより指定された機能が実行可能か否かを判定する判定部と、
前記機能が実行可能であると判定された場合、前記機能の実行を指示する指示部と、
前記機能が実行された後の前記バッテリ残量に基づいて、前記テーブルにおける、実行された前記機能の前記消費電力値を更新するテーブル管理部と
を有する
電力管理システム。
【発明の詳細な説明】
【技術分野】
【０００１】
本技術は、電子機器、電力管理方法、および電力管理システムに関し、特に、バッテリ残量を有効に利用することができるようにする電子機器、電力管理方法、および電力管理システムに関する。
【背景技術】
【０００２】
特許文献１には、バッテリ残量と、そのバッテリ残量で実行可能な作業時間とを画面に表示する電子機器が開示されている。【０００３】
また、特許文献２には、バッテリを駆動源としてＸ線撮影を行う移動型Ｘ線装置が、バッテリ残量と、予定された撮影に要するバッテリ消費量とを表示することが開示されている。【０００４】
ところで、近年のモバイル機器においては、バッテリ残量が、例えば１０％などの所定のレベルを下回ると、強制的に稼働を終了する機能がある。
【先行技術文献】
【特許文献】
【０００５】
【特許文献１】特開２００２−６２９５５号公報
【特許文献２】国際公開第２０１０／００４８５５号
【発明の概要】
【発明が解決しようとする課題】
【０００６】
しかしながら、例えば１０％などのバッテリ残量で実行可能な機能があったとしても、ある程度バッテリを充電しない限り、そのモバイル機器において、その機能を実行することはできない。【０００７】
本技術は、このような状況に鑑みてなされたものであり、バッテリ残量を有効に利用することができるようにするものである。
【課題を解決するための手段】
【０００８】
本技術の電子機器は、機能毎の消費電力に関する消費電力値を保持するテーブルを管理するテーブル管理部と、バッテリ残量と前記テーブルとに基づいて、ユーザにより指定された機能が実行可能か否かを判定する判定部と、前記機能が実行可能であると判定された場合、前記機能の実行を指示する指示部とを備え、前記テーブル管理部は、前記機能が実行された後の前記バッテリ残量に基づいて、前記テーブルにおける、実行された前記機能の前記消費電力値を更新する。【０００９】
本技術の電力管理方法は、機能毎の消費電力に関する消費電力値を保持するテーブルを管理する電子機器が、バッテリ残量と前記テーブルとに基づいて、ユーザにより指定された機能が実行可能か否かを判定し、前記機能が実行可能であると判定された場合、前記機能の実行を指示し、前記機能が実行された後の前記バッテリ残量に基づいて、前記テーブルにおける、実行された前記機能の前記消費電力値を更新するステップを含む。【００１０】
本技術の電力管理システムは、電子機器と、前記電子機器の機能毎の消費電力に関する消費電力値を保持するテーブルを管理する電力管理装置とを備え、前記電力管理装置は、前記電子機器のバッテリ残量と、前記テーブルとに基づいて、ユーザにより指定された機能が実行可能か否かを判定する判定部と、前記機能が実行可能であると判定された場合、前記機能の実行を指示する指示部と、前記機能が実行された後の前記バッテリ残量に基づいて、前記テーブルにおける、実行された前記機能の前記消費電力値を更新するテーブル管理部とを有する。【００１１】
本技術においては、バッテリ残量と機能毎の消費電力に関する消費電力値を保持するテーブルとに基づいて、ユーザにより指定された機能が実行可能か否かが判定され、前記機能が実行可能であると判定された場合、前記機能の実行が指示され、前記機能が実行された後の前記バッテリ残量に基づいて、前記テーブルにおける、実行された前記機能の前記消費電力値が更新される。
【発明の効果】
【００１２】
本技術によれば、バッテリ残量を有効に利用することが可能となる。【００１３】
なお、ここに記載された効果は必ずしも限定されるものではなく、本開示中に記載されたいずれかの効果であってもよい。
【図面の簡単な説明】
【００１４】
【図１】従来の電子機器のバッテリ残量と稼働状態について説明する図である。
【図２】本技術を適用した電子機器の機能の実行について説明する図である。
【図３】本技術を適用した電子機器の機能の実行について説明する図である。
【図４】本技術を適用した電子機器の構成例を示すブロック図である。
【図５】電力管理部の機能構成例を示すブロック図である。
【図６】電力管理テーブルの例を示す図である。
【図７】電子機器の機能実行処理の流れについて説明するフローチャートである。
【図８】電子機器の機能実行処理の流れについて説明するフローチャートである。
【図９】電力管理テーブルの他の例を示す図である。
【図１０】電力管理テーブルのさらに他の例を示す図である。
【図１１】本技術を適用した電力管理システムの構成例を示すブロック図である。
【発明を実施するための形態】
【００１５】
以下、本開示を実施するための形態（以下、実施の形態とする）について説明する。なお、説明は以下の順序で行う。
【００１６】
１．従来技術と本技術の概要
２．第１の実施の形態（電子機器）
３．第２の実施の形態（電力管理システム）
【００１７】
＜１．従来技術と本技術の概要＞
近年の電子機器においては、バッテリ残量が所定のレベルを下回ると、強制的に稼働を終了する機能がある。
【００１８】
例えば、図１に示されるように、バッテリ残量ＢＬが１０％を超えている場合、その電子機器は稼動中となるが、バッテリ残量ＢＬが１０％を下回ると、その電子機器は稼動を終了してしまう。
【００１９】
この場合、１０％のバッテリ残量ＢＬで実行可能な機能があったとしても、ある程度バッテリを充電しない限り、その電子機器において、その機能を実行することはできない。
【００２０】
そこで、本技術を適用した電子機器は、図２に示されるように、バッテリ残量ＢＬと、ユーザにより指定された機能Ａ１の消費電力量Ｗ１とを比較し、バッテリ残量ＢＬが機能Ａ１の消費電力量Ｗ１を超えていれば、機能Ａ１を実行するようにする。
【００２１】
また、本技術を適用した電子機器は、図３に示されるように、バッテリ残量ＢＬが機能Ａ１の消費電力量Ｗ１を下回っている場合には、バッテリ残量ＢＬと、機能Ａ１と同等または類似の機能Ａ２の消費電力量Ｗ２（Ｗ２＜Ｗ１）とを比較し、バッテリ残量ＢＬが機能Ａ２の消費電力量Ｗ２を超えていれば、機能Ａ２を実行するようにする。
【００２２】
なお、本技術においては、各機能の消費電力量は、機能毎の消費電力量を保持するテーブルによって管理されるものとする。ある機能が実行された後は、実行後のバッテリ残量に基づいて、テーブルにおけるその機能の消費電力量が更新されるようになる。
【００２３】
＜２．第１の実施の形態＞
（電子機器の構成例）
図４は、本技術を適用した電子機器の構成例を示すブロック図である。
【００２４】
図４の電子機器１０は、例えば、インターネットに接続可能なＩｏＴ（Internet of Things）カメラなどの、バッテリで駆動するモバイル機器として構成される。
【００２５】
図４において、ＣＰＵ（Central Processor Unit）３１は、ＲＯＭ（Read Only Memory）３２に記憶されているプログラム、またはＲＡＭ（Random Access Memory）３３にロードされたプログラムに従って、電子機器１０が備える各種の機能を実現するための処理を実行する。ＲＡＭ３３にはまた、ＣＰＵ３１が各種の処理を実行する上において必要なデータなども適宜記憶される。
【００２６】
ＣＰＵ３１、ＲＯＭ３２、およびＲＡＭ３３は、バス３４を介して相互に接続されている。このバス３４にはまた、入出力インタフェース３５も接続されている。
【００２７】
入出力インタフェース３５には、入力部３６、出力部３７、記憶部３８、通信部３９、センサ部４０が接続される。
【００２８】
入力部３６は、キー、ボタン、タッチパネル、およびマイクロフォンなどで構成され、出力部３７は、ディスプレイやスピーカなどで構成される。記憶部３８は、ハードディスクなどで構成され、通信部３９は、各種の無線通信を行うアンテナなどで構成される。
【００２９】
センサ部４０は、撮像のためのＣＭＯＳ（Complementary Metal Oxide Semiconductor）イメージセンサを始め、人感センサ、加速度センサ、照度センサなどの各種のセンサ類から構成される。
【００３０】
入出力インタフェース３５にはまた、必要に応じてドライブ４１が接続され、半導体メモリなどで構成されるリムーバブルメディア４２が適宜装着される。リムーバブルメディア４２から読み出されたコンピュータプログラムは、必要に応じて記憶部３８にインストールされる。
【００３１】
電子機器１０の各部へは、電源制御部４３により、バッテリ４４からの電力が供給される。また、電子機器１０に給電可能な機器が接続された状態では、電源制御部４３を介して、バッテリ４４への充電が行われる。
【００３２】
（電力管理部の機能構成例）
図５は、ＣＰＵ３１により所定のプログラムが実行されることによって実現される電力管理部の機能構成例を示すブロック図である。
【００３３】
電力管理部５０は、テーブル管理部６１、バッテリ残量取得部６２、入力制御部６３、判定部６４、実行指示部６５、出力制御部６６、および充電制御部６７を備えている。
【００３４】
テーブル管理部６１は、電子機器１０が実行する機能毎の消費電力に関する消費電力値を保持する電力管理テーブルを管理する。また、テーブル管理部６１は、機能が実行された後、その機能の消費電力値が初期値である場合には、その機能の消費電力値を更新する。電力管理テーブルの詳細については後述する。
【００３５】
バッテリ残量取得部６２は、電源制御部４３を介して、バッテリ４４のバッテリ残量を取得し、判定部６４に供給する。
【００３６】
入力制御部６３は、入力部３６に対するユーザの入力を受け付け、その内容を示す入力情報を判定部６４に供給する。例えば、入力制御部６３は、ユーザが実行を所望する機能の指定を受け付け、指定された機能を示す入力情報を判定部６４に供給する。
【００３７】
判定部６４は、バッテリ残量取得部６２からのバッテリ残量と、テーブル管理部６１により管理される電力管理テーブルとに基づいて、いずれかの機能が実行可能か否かを判定する。また、判定部６４は、いずれかの機能が実行可能である場合、入力制御部６３からの入力情報で示される機能が実行可能か否かを判定する。判定部６４による判定結果は、適宜、実行指示部６５、出力制御部６６、および充電制御部６７に供給される。
【００３８】
実行指示部６５は、判定部６４により、ユーザにより指定された機能が実行可能であると判定された場合、その機能を実行するための各部に、その機能の実行を指示する。
【００３９】
出力制御部６６は、判定部６４により、ユーザにより指定された機能が実行可能でないと判定された場合、または、いずれの機能も実行可能でないと判定された場合、その旨の通知（アラート）の出力を制御する。
【００４０】
充電制御部６７は、判定部６４により、いずれの機能も実行可能でないと判定された場合、電源制御部４３を制御することにより、バッテリ４４への充電を制御する。
【００４１】
（電力管理テーブルの詳細）
ここで、図６を参照して、電力管理テーブルの詳細について説明する。
【００４２】
図６の電力管理テーブルＴＢ１においては、機能毎に、その機能を実行するために必要な消費電力値（必要電力値）が対応付けられている。図６の例では、いずれの機能の必要電力値も初期値とされる。この初期値は、例えば電子機器１０の製品出荷時などに設定される。
【００４３】
図６の電力管理テーブルＴＢ１によれば、電子機器１０の最も基本的な機能である「起動」、「終了」、「待機」、「復帰」の必要電力値は、それぞれ５，２，１，３とされる。
【００４４】
電子機器１０が有するセンサ部４０により実行される機能である「人感センシング」、「イメージセンシング」、「加速度センシング」、「照度センシング」の必要電力値は、それぞれ３，１０，３，３とされる。
【００４５】
センサ部４０が動画像を高フレームレートで撮像して記録する機能である「撮像（高レート）」の必要電力値は１０００とされ、低フレームレートで撮像して記録する機能である「撮像（低レート）」の必要電力値は５００とされる。
【００４６】
通信部３９がＬＴＥ（Long Term Evolution）方式で画像を送信する機能である「画像送信（ＬＴＥ）」の必要電力値は１０００とされ、Ｗｉ−Ｆｉを用いて画像を送信する機能である「画像送信（Ｗｉ−Ｆｉ）」の必要電力値は５００とされる。また、赤外線通信により画像を送信する機能である「画像送信（赤外線）」の必要電力値は１００とされる。
【００４７】
通信部３９がＬＴＥ方式で上述したアラートを所定のサーバなどに送信する機能である「アラート送信（ＬＴＥ）」の必要電力値は１０とされ、Ｗｉ−Ｆｉを用いてアラートを送信する機能である「画像送信（Ｗｉ−Ｆｉ）」の必要電力値は５とされる。また、ＢＬＥ（Bluetooth（登録商標） Low Energy）により画像を送信する機能である「画像送信（ＢＬＥ）」の必要電力値は１とされる。
【００４８】
このように、電子機器１０の機能には、撮像、画像送信、およびアラート送信の各機能のように、異なる必要電力値で実行可能な同等または類似の機能が含まれている。
【００４９】
また、電子機器１０の各機能の必要電力値は、その機能が実行される時間帯、季節、気候などの状況によって異なる場合がある。そこで、図６に示されるように、例えば時間帯毎の電力管理テーブルＴＢ１，ＴＢ２，ＴＢ３が用意されるようにする。もちろん、季節毎の電力管理テーブルや、気候毎の電力管理テーブルなど、状況毎の電力管理テーブルが用意されてもよい。
【００５０】
なお、電力管理テーブルにおいて管理される必要電力値は、各機能の実行に要する消費電力量を示すものとするが、消費電流を示すものであってもよいし、それ以外の消費電力に関する値を示すものであってもよい。
【００５１】
（機能実行処理の流れ）
次に、図７および図８のフローチャートを参照して、電子機器１０の機能実行処理の流れについて説明する。この機能実行処理は、例えば、所定のタイミング毎に周期的に実行されるものとするが、ユーザの指示による任意のタイミングで実行されるようにしてもよい。
【００５２】
ステップＳ１１において、テーブル管理部６１は、現在の状況（時間帯、季節、気候など）に応じた電力管理テーブルを取得し、判定部６４に供給する。
【００５３】
ステップＳ１２において、バッテリ残量取得部６２は、バッテリ４４のバッテリ残量を取得し、判定部６４に供給する。
【００５４】
ステップＳ１３において、判定部６４は、バッテリ残量取得部６２により取得されたバッテリ残量と、テーブル管理部６１により取得された電力管理テーブルとに基づいて、いずれかの機能が実行可能であるか否かを判定する。
【００５５】
ステップＳ１３において、いずれかの機能が実行可能であると判定された場合、処理はステップＳ１４に進む。このとき、出力制御部６６は、判定部６４の判定結果に応じて、実行可能な機能を示す情報を、出力部３７からユーザに対して提示させるようにしてもよい。
【００５６】
ステップＳ１４において、入力制御部６３は、ユーザによる機能の指定を受け付ける。
【００５７】
ステップＳ１５において、判定部６４は、バッテリ残量と、電力管理テーブルにおける、ユーザにより指定された機能の消費電力値とを比較する。
【００５８】
ステップＳ１６において、判定部６４は、バッテリ残量と、ユーザにより指定された機能の消費電力値との比較の結果、指定された機能が実行可能であるか否かを判定する。
【００５９】
ステップＳ１６において、指定された機能が実行可能であると判定された場合、処理はステップＳ１７に進む。
【００６０】
ステップＳ１７において、実行指示部６５は、指定された機能を実行するための各部に、その機能の実行を指示する。
【００６１】
一方、ステップＳ１６において、指定された機能が実行可能でないと判定された場合、処理はステップＳ１８に進む。
【００６２】
ステップＳ１８において、判定部６４は、ユーザにより指定された機能の類似機能（同等または類似の機能）が実行可能であるか否かを判定する。
【００６３】
例えば、ユーザに指定された機能が「撮像（高レート）」であった場合、バッテリ残量に基づいて、「撮像（高レート）」より必要電力値の小さい「撮像（低レート）」が実行可能であるか否かが判定される。
【００６４】
また、ユーザに指定された機能が「画像送信（ＬＴＥ）」であった場合、バッテリ残量に基づいて、「画像送信（ＬＴＥ）」より必要電力値の小さい「画像送信（Ｗｉ−Ｆｉ）」または「画像送信（赤外線）」が実行可能であるか否かが判定される。
【００６５】
ステップＳ１８において、指定された機能の類似機能が実行可能であると判定された場合、処理はステップＳ１９に進む。
【００６６】
ステップＳ１９において、実行指示部６５は、指定された機能の類似機能を実行するための各部に、その機能の実行を指示する。
【００６７】
ステップＳ１７またはステップＳ１９の後、処理はステップＳ２０に進む。
【００６８】
ステップＳ２０において、バッテリ残量取得部６２は、指示された機能の実行後、バッテリ４４のバッテリ残量を取得し、テーブル管理部６１に供給する。
【００６９】
ステップＳ２１において、テーブル管理部６１は、機能実行前後のバッテリ残量に基づいて、具体的には、機能実行前に取得されたバッテリ残量と、機能実行後に取得されたバッテリ残量との差分を用いて、電力管理テーブルにおける、実行された機能の消費電力値を更新して、処理を終了する。
【００７０】
このようにして、１つの機能が実行されると、電力管理テーブルにおけるその機能の必要電力値が、実際にその機能の実行に要した消費電力値に更新される。
【００７１】
一方、ステップＳ１８において、指定された機能の類似機能が実行可能でないと判定された場合、処理はステップＳ２２に進む。
【００７２】
ステップＳ２２において、出力制御部６６は、ユーザにより指定された機能が実行可能でない旨のアラートを出力部３７から出力させて、処理を終了する。このとき、ユーザにより指定された機能が実行可能でない旨のアラートが、電子機器１０に接続されている所定のサーバに送信されるようにしてもよい。
【００７３】
このように、ユーザにより指定された機能が実行可能でない場合には、ユーザに対してその旨が報知される。
【００７４】
ところで、ステップＳ１３において、いずれの機能も実行可能でないと判定された場合、処理はステップＳ２３に進む。
【００７５】
ステップＳ２３において、出力制御部６６は、いずれの機能も実行可能でない旨のアラートを出力部３７から出力させる。このとき、いずれの機能も実行可能でない旨のアラートが、電子機器１０に接続されている所定のサーバに送信されるようにしてもよい。
【００７６】
続いてステップＳ２４において、充電制御部６７は、電源制御部４３を制御することにより、バッテリ４４への充電を開始する。すなわち、電子機器１０は、強制的に稼働を終了し、待機状態へと遷移する。
【００７７】
ステップＳ２５において、充電制御部６７は、バッテリ４４への充電が完了したか否かを判定する。ステップＳ２５の処理は、バッテリ４４への充電が完了するまで繰り返される。
【００７８】
そして、ステップＳ２５において、バッテリ４４への充電が完了したと判定されると、処理はステップＳ２６に進む。このとき、電子機器１０は、待機状態から自動復帰する。なお、バッテリ４４への充電は、電子機器１０の全ての機能が実行可能となるまで行われるようにしてもよいし、少なくともいずれか１つの機能が実行可能となるまで行われるようにしてもよい。
【００７９】
ステップＳ２６において、テーブル管理部６１は、ステップＳ１１において取得した電力管理テーブルを初期化して、処理を終了する。
【００８０】
このように、いずれの機能も実行可能でない場合には、機能実行可能な状態となるまで待機状態への遷移し、バッテリ４４への充電が行われる。なお、ステップＳ２３乃至Ｓ２６におけるアラートの出力、バッテリ４４への充電、および電力管理テーブルの初期化は、図示した順番以外の順番で行われてもよく、それぞれ並列して行われるようにしてもよい。
【００８１】
以上の処理によれば、電子機器１０は、バッテリ残量が少なくなった場合であっても強制的に稼働を終了することはなく、ユーザにより指定された機能が実行可能であれば、その機能を実行することができる。したがって、バッテリ残量を有効に利用することが可能となる。
【００８２】
さらに、ユーザにより指定された機能が実行可能でない場合であっても、その機能と同等または類似した機能が実行可能であれば、その機能を実行することができるので、ユーザの要求に応えつつ、バッテリ残量をより有効に利用することが可能となる。
【００８３】
また、その時の状況に応じた電力管理テーブルにおいて、実行した機能の必要電力値が更新されるので、状況毎の電力管理テーブルを最新の状態に保つことが可能となる。
【００８４】
（電力管理テーブルの他の例）
上述した例においては、電子機器１０が、ＩｏＴカメラとして構成されるものとしたが、他の機能を有するバッテリ駆動のモバイル機器として構成されるようにもできる。この場合、テーブル管理部６１により管理される電力管理テーブルも、図６で示されるものとは異なるものが用意される。
【００８５】
図９は、例えば、電子機器１０がオーディオプレーヤとして構成される場合の電力管理テーブルの例を示している。
【００８６】
図９の電力管理テーブルＴＢ１１においても、機能毎に、その機能を実行するための必要電力値が対応付けられている。
【００８７】
図９の電力管理テーブルＴＢ１１によれば、オーディオプレーヤとして構成される電子機器１０の最も基本的な機能である「起動」、「終了」、「待機」、「復帰」の必要電力値は、それぞれ４，２，１，３とされる。
【００８８】
出力部３７が音声を高音質で再生する機能である「音声再生（高音質）」の必要電力値は６００とされ、音声を低音質で再生する機能である「音声再生（低音質）」の必要電力値は３００とされる。
【００８９】
入力部３６および記憶部３８が音声を高音質で録音する機能である「音声録音（高音質）」の必要電力値は５００とされ、音声を低音質で録音する機能である「音声録音（低音質）」の必要電力値は２５０とされる。
【００９０】
なお、通信部３９によるアラート送信の機能については、図６の例と同一であるので、その説明は省略する。
【００９１】
このように、電子機器１０がオーディオプレーヤとして構成される場合、その機能には、音声再生、音声録音、およびアラート送信の各機能のように、異なる必要電力値で実行可能な同等または類似の機能が含まれている。
【００９２】
図１０は、電子機器１０がスマートフォン（携帯電話機）として構成される場合の電力管理テーブルの例を示している。
【００９３】
図１０の電力管理テーブルＴＢ１２においても、機能毎に、その機能を実行するための必要電力値が対応付けられている。
【００９４】
図１０の電力管理テーブルＴＢ１２によれば、スマートフォンとして構成される電子機器１０の最も基本的な機能である「起動」、「終了」、「待機」、「復帰」の必要電力値は、それぞれ８，３，２，５とされる。
【００９５】
通信部３９が４Ｇ（4th Generation）方式で音声通話を行う機能である「音声通話（４Ｇ）」の必要電力値は５００とされ、３Ｇ（3rd Generation）方式で音声通話を行う機能である「音声通話（３Ｇ）」の必要電力値は３００とされる。
【００９６】
通信部３９がＬＴＥ方式でデータ通信を行う機能である「データ通信（ＬＴＥ）」の必要電力値は４００とされ、Ｗｉ−Ｆｉを用いてデータ通信を行う機能である「データ通信（Ｗｉ−Ｆｉ）」の必要電力値は２５０とされる。
【００９７】
出力部３７が動画像を高画質で再生する機能である「動画再生（高画質）」の必要電力値は６００とされ、動画像を低画質で再生する機能である「動画再生（低画質）」の必要電力値は３００とされる。
【００９８】
なお、通信部３９によるアラート送信の機能については、図６の例と同一であるので、その説明は省略する。
【００９９】
このように、電子機器１０がスマートフォンとして構成される場合、その機能には、音声通話、データ通信、動画再生、およびアラート送信の各機能のように、異なる必要電力値で実行可能な同等または類似の機能が含まれている。
【０１００】
なお、図示はしないが、図９や図１０の例においても、時間帯毎の電力管理テーブルや、季節毎の電力管理テーブル、気候毎の電力管理テーブルなど、状況毎の電力管理テーブルが用意されるようにすることができる。
【０１０１】
＜３．第２の実施の形態＞
（電力管理システムの構成例）
図１１は、本技術を適用した電力管理システムの構成例を示すブロック図である。
【０１０２】
図１１の電力管理システム１００は、電子機器１１０および電力管理装置１２０から構成される。
【０１０３】
電子機器１１０と電力管理装置１２０とは、例えばインターネットなどの所定のネットワークを介して互いに接続される。
【０１０４】
電子機器１１０は、図４を参照して説明した電子機器１０と同様、バッテリ駆動のモバイル機器として構成される。
【０１０５】
電力管理装置１２０は、例えば所定のサーバなどとして構成され、電子機器１１０のバッテリ（電力）の状態を管理する。電力管理装置１２０においては、図示せぬＣＰＵが所定のプログラムを実行することにより、電力管理部５０が実現される。
【０１０６】
すなわち、図１１の電力管理部５０は、電子機器１１０に対して、図７および図８を参照して説明した機能実行処理を実行することができる。
【０１０７】
このような構成によれば、電子機器１１０は、バッテリ残量が少なくなった場合であっても強制的に稼働を終了することはなく、ユーザにより指定された機能が実行可能であれば、その機能を実行することができる。したがって、バッテリ残量を有効に利用することが可能となる。
【０１０８】
なお、図１１の例においては、電力管理装置１２０が、複数の電子機器１１０の電力の状態を管理するようにもできる。すなわち、本技術は、クラウドコンピューティングへ適用することもできる。
【０１０９】
また、図１１の例において、アラートは、電子機器１１０において出力されるようにしてもよいし、電力管理装置１２０において出力されるようにしてもよい。
【０１１０】
本技術の実施の形態は、上述した実施の形態に限定されるものではなく、本技術の要旨を逸脱しない範囲において種々の変更が可能である。
【０１１１】
さらに、本技術は以下のような構成をとることができる。
（１）
機能毎の消費電力に関する消費電力値を保持するテーブルを管理するテーブル管理部と、
バッテリ残量と前記テーブルとに基づいて、ユーザにより指定された機能が実行可能か否かを判定する判定部と、
前記機能が実行可能であると判定された場合、前記機能の実行を指示する指示部と
を備え、
前記テーブル管理部は、前記機能が実行された後の前記バッテリ残量に基づいて、前記テーブルにおける、実行された前記機能の前記消費電力値を更新する
電子機器。
（２）
前記判定部は、前記ユーザにより指定された第１の機能が実行可能でないと判定された場合、前記第１の機能と同等または類似の機能であって、前記第１の機能より消費電力値の小さい第２の機能が実行可能か否かを判定し、
前記指示部は、前記第２の機能が実行可能であると判定された場合、前記第２の機能の実行を指示する
（１）に記載の電子機器。
（３）
前記第２の機能が実行可能でないと判定された場合、または、いずれの前記機能も実行可能でないと判定された場合、その旨の通知の出力を制御する出力制御部をさらに備える
（２）に記載の電子機器。
（４）
いずれの前記機能も実行可能でないと判定された場合、少なくともいずれか１つの前記機能が実行可能となるまでバッテリへの充電を制御する充電制御部をさらに備える
（１）乃至（３）のいずれかに記載の電子機器。
（５）
前記テーブル管理部は、時間帯毎の前記消費電力値を保持する前記テーブルを管理し、
前記判定部は、前記バッテリ残量と、現在時刻が含まれる時間帯の前記テーブルとに基づいて、前記機能が実行可能か否かを判定する
（１）乃至（４）のいずれかに記載の電子機器。
（６）
前記テーブル管理部は、季節毎の前記消費電力値を保持する前記テーブルを管理し、
前記判定部は、前記バッテリ残量と、現在の季節の前記テーブルとに基づいて、前記機能が実行可能か否かを判定する
（１）乃至（４）のいずれかに記載の電子機器。
（７）
前記テーブル管理部は、気候毎の前記消費電力値を保持する前記テーブルを管理し、
前記判定部は、前記バッテリ残量と、現在の気候の前記テーブルとに基づいて、前記機能が実行可能か否かを判定する
（１）乃至（４）のいずれかに記載の電子機器。
（８）
前記テーブル管理部は、前記機能が実行される前の前記バッテリ残量と、前記機能が実行された後の前記バッテリ残量との差分を用いて、実行された前記機能の前記消費電力値を更新する
（１）乃至（７）のいずれかに記載の電子機器。
（９）
機能毎の消費電力に関する消費電力値を保持するテーブルを管理する電子機器が、
バッテリ残量と前記テーブルとに基づいて、ユーザにより指定された機能が実行可能か否かを判定し、
前記機能が実行可能であると判定された場合、前記機能の実行を指示し、
前記機能が実行された後の前記バッテリ残量に基づいて、前記テーブルにおける、実行された前記機能の前記消費電力値を更新する
ステップを含む電力管理方法。
（１０）
電子機器と、
前記電子機器の機能毎の消費電力に関する消費電力値を保持するテーブルを管理する電力管理装置と
を備え、
前記電力管理装置は、
前記電子機器のバッテリ残量と、前記テーブルとに基づいて、ユーザにより指定された機能が実行可能か否かを判定する判定部と、
前記機能が実行可能であると判定された場合、前記機能の実行を指示する指示部と、
前記機能が実行された後の前記バッテリ残量に基づいて、前記テーブルにおける、実行された前記機能の前記消費電力値を更新するテーブル管理部と
を有する
電力管理システム。
【符号の説明】
【０１１２】
１０  電子機器，  ３１  ＣＰＵ，  ３６  入力部，  ３７  出力部，  ３８  記憶部，  ３９  通信部，  ４０  センサ部，  ４３  電源制御部，  ４４  バッテリ，  ５０  電力管理部，  ６１  テーブル管理部，  ６２  バッテリ残量取得部，  ６３  入力制御部，  ６４  判定部，  ６５  実行指示部，  ６６  出力制御部，  ６７  充電制御部，  １００  電力管理システム，  １１０  電子機器，  １２０  電力管理装置
【図１】
2018216478.tif 000003
【図２】
2018216478.tif 000004
【図３】
2018216478.tif 000005
【図４】
2018216478.tif 000006
【図５】
2018216478.tif 000007
【図６】
2018216478.tif 000008
【図７】
2018216478.tif 000009
【図８】
2018216478.tif 000010
【図９】
2018216478.tif 000011
【図１０】
2018216478.tif 000012
【図１１】
2018216478.tif 000013
【国際調査報告】
2018216478.tif 000014
2018216478.tif 000015
2018216478.tif 000016
2018216478.tif 000017